(57)【要約】本発明は、ガス状及び液状双方の流体の配管として使用される中空エレメントを接続しかつブロックするためのデバイスに関する。中空のエレメント（１１，１３）は、隣接するエレメントの少なくとも１つの壁に係合しかつ固定用ねじ（２２）によって固定されるプラグまたは固定用プレート（１９）及び接続用プレート（２１）によって接続可能である。少なくとも接続用プレート（２１）には、接続用プレートが固定用プレートにねじで固定されると、接続されるエレメントの表面を物理的に貫通するように設計された突起または接触グリップ（２４）が供給される。
2004535540.tif 000002
【特許請求の範囲】
【請求項１】
ガス状及び液状双方の流体の配管として使用される中空エレメントを接続しかつブロックするためのデバイスであって、
各中空エレメント（１１，１３）は、中央の穴とその壁に沿って伸長しかつ外向きに開くＣ形の溝（１５，１７）とを有し、
供給されるプラグまたは固定用プレート（１９）は、接続される隣接するエレメントのチャネル形の溝に単独で挿入されることが可能であり、上記隣接するエレメントの１つの壁には１つの接続用プレート（２１）が置かれ、固定用のねじ（２２）は上記接続用プレートの穴（２３）に挿入されかつ上記固定用プレートにねじ込まれてプレートを上記隣接するエレメント上にブロックし、
少なくとも接続用プレート（２１）は、接続用プレートが固定用プレートにねじで固定されると、接続されるエレメントの表面を物理的に貫通するように設計された突起または接触グリップ（２４）を有することを特徴とする接続しかつブロックするためのデバイス。
【請求項２】
上記接続されるエレメントは中空のバーまたは部分パイプ（１１）及び／または上記バーまたは部分パイプに接続されるエレメントまたは端部接続金具（１３）であり、上記突起または接触グリップ（２４）は接続用プレート（２１）及び／または固定用プラグ（１９）上に供給される請求項１記載の接続しかつブロックするデバイス。
【請求項３】
上記突起または接触グリップ（２４）は接続用プレートの支持面から突き出した節の隆起、歯または点の形式である請求項１または２記載の接続しかつブロックするデバイス。
【請求項４】
上記突起または接触グリップは固定用プレート（１９）の支持面から突き出した節の隆起、歯または点の形式である請求項１または２記載の接続しかつブロックするデバイス。
【請求項５】
上記突起または接触グリップ（２４）はねじ用の穴の周囲に配置される請求項１乃至４記載の接続しかつブロックするデバイス。
【請求項６】
上記突起または接触グリップ（２４）は接続用プレート（２１）及び／または固定用プレート（１９）の支持面の限定された領域または全体領域に供給される請求項１乃至４記載の接続しかつブロックするデバイス。
【請求項７】
接続用プレート（２８）は、２つまたはそれ以上の中空のバーまたは部分パイプ間に配置されかつこれらを接続する二方または三方ジョイント（２７）の本体から突き出したピン（３３）を受け入れる追加的な穴（３２）を有する先行する任意の請求項記載の接続しかつブロックするデバイス。
【発明の詳細な説明】
【技術分野】
【０００１】
本発明は、加圧下または真空下のガス状及び液状双方の流体をパイプで分配するためのプラントに関し、特に、このようなプラントを形成するための中空のバー、関連する接続金具及び付属品等の中空エレメントの直線状、角度付き、Ｔ形または交差状の接続部の革新的システムの形成を目的とする。
【背景技術】
【０００２】
流体全般の導管配送及び分配プラントを形成するために、連続して接続可能な中空のバーまたは部分パイプを配管として完成させかつ使用することは周知である。
【０００３】
このような用途のための各中空バーは通常、押出しアルミニウムまたはアルミニウム合金の方形部分でできている。基本的にこれは、中央の長手方向の穴と、外壁に沿った、同じく長手方向の外向きに開いたＣ形の溝を有している。チャネル形の溝は、押出し成形によって作られたリブまたはフィンによって区切られ、中空バーを互いに接合するため、及び／または補助エレメントを組み立てられたバーの端部に接合するために使用される固定具をしっかりと固定するために使用される。
【０００４】
周知の接続システムによれば、同じ中空バーの隣接する端同士は、重ね継ぎされる中空エレメントがどのようなものであっても、管状ジョイントの基本的には円い部分を使用し、かつ少なくとも２つの反対側面に挿入されてブロックされた、それ自体がバーの隣接端部同士をブリッジしているプレートまたは結合ブラケットを使用して直線状に、または角度をつけて接続される。
【０００５】
必要に応じて直線状、角度付き、Ｔ形または交差状である可能性のある各管状ジョイントは、ジョイントとバーの穴の内面との間に位置づけられた少なくとも１つのシールの挿入によって、接続されるバーの中央の穴へ挿入される円筒部分を有している。
【０００６】
接続に使用される各プレートまたはブラケットは隣接するバーの外壁表面上に存在し、バーのチャネル形の溝にスライド式に挿入されてバーとジョイントとをしっかりと保持するプラグまたは固定用プレートにねじで固定される。
【０００７】
配管バーを接続する類似方法は効果的かつ実用的ではあるが、大型の配管部分及び高い送出圧力が使用される場所に対しては、即ち接合部を引き離そうとするスラストが極めて高い場合には、十分な信頼性がない結果となる可能性がある。事実この場合、あそびにおけるスラストはプラグまたは固定用プレートを溝の中で滑らせ、かつ接続用プレートをバーの外面上で滑らせ、様々なコンポーネント間の接続、延てはプラントの効率及び安全性を脅かす可能性がある。
【発明の開示】
【発明が解決しようとする課題】
【０００８】
本発明の１つの目的は、大口径の配管及び動作圧力が極めて高い場合を含む流体配管用の中空バーまたは部分パイプの静的かつ信頼性の高いカップリングを完全に保証する手段を達成し、提供することにある。
【０００９】
本発明の他の目的は、ねじによる固定だけでなく、とりわけ少なくとも１つのカップリング・システムと接続されるエレメントの少なくとも１つの表面との間の物理的な接続及び把持によって、接続されるエレメントの固定を達成する能力のあるカップリング・デバイスを供給することにある。
【課題を解決するための手段】
【００１０】
これらの目的及びこれらの目的から生じる明らかな優位点は、本発明に従って、特に中空バーである中空エレメントのカップリング・システムと関連の付属品とを使用して流体用配管を形成することにより達成され、
各中空エレメントは、中央の穴とその壁に沿って伸長しかつ外向きに開くＣ形の溝とを有し、
供給されるプラグまたは固定用プレートは、接続される隣接するエレメントのチャネル形の溝に単独で挿入されることが可能であり、上記隣接するエレメントの１つの壁には１つの接続用プレートが置かれ、このプレートの穴には固定用のねじが挿入されかつ上記固定用プレートにねじ込まれて上記プレートを上記隣接するエレメント上にブロックし、
少なくとも接続用プレートには、プレートが固定用プレートにねじで固定されると、接続されるエレメントの表面を物理的に貫通してプレート自体をエレメントに付着させるように設計された突起またはグリップが供給される。
【００１１】
突起またはグリップは、接続されるエレメントに対面する接続用プレートの表面の節の隆起、歯または突起として設計されることが可能であるために形状は様々である可能性があり、かつ少なくともねじ固定穴の周囲に配置されることが可能であり、及び／または上記プレートの平坦部に分配されることが可能である。
【００１２】
接続システムの閉鎖作用または把持をさらに増大させるために、突起またはグリップは、接続用プレート上だけでなく固定用プレート上にも供給されることが可能である。さらに、カップリング・ユニットとしてコーナー・ジョイント、Ｔ形または交差状ジョイントが使用される場合、固定用プレートには、特に異なる方向に向けられた２本、３本または４本の中空バーを接続する際に接続されるエレメントの１つから突き出したピンを受け入れるための追加的な穴を供給することが可能である。
【００１３】
本発明のさらなる詳細は、指示的ではあるが限定的ではない添付の図面に関連して記述する以下の説明からより明白となるであろう。
【発明を実施するための最良の形態】
【００１４】
上記諸図面では、間に挿入される管状の接続部１２を介して、または端部品または追加的な端部接続金具１３を使用して直に他の同一の中空バーに接続可能な中空バー１１が示されている。
【００１５】
パイプ部分と呼ばれる場合もある各中空バー１１は４角断面を有し、かつ押出しアルミニウムまたはその合金の１つである。これは、周知の通り、中央の穴１４と、その壁に沿ったＣ形の外向きのチャネル１５とを有する。
【００１６】
図４〜６の例が示すように、通り穴または中央の見えない穴及び／または少なくとも１つの内側または外側のねじ切りされた領域１６を有する可能性のある端部エレメントまたは接続金具１３は、好適には、中空バーまたは部分パイプ１１に一致する４面の外壁形状を使用して製造され、従ってこれは、長手方向のチャネル形の溝１７と、接続される中空バー１１の穴１４に嵌合する端部円筒部分１８とを有する。
【００１７】
２つのバーまたは同一の部分パイプ１１間の結合−図２及び図３−は、シール１２Ａが供給された管状の接続金具１２を隣接するバー端部の穴に挿入することと、バー自体の２つの反対側の接続手段を使用することによって達成される。
【００１８】
中空バーまたは部分パイプ１１とエレメントまたは端部接続金具１３とは、同じ方法で、かつ同じ接続手段を使用して、上記エレメントまたは接続金具１３の円筒部分１８を、少なくとも１つのシールを必ず間に挟んで上記バーの隣接端の穴１２へ挿入することによって接続される。
【００１９】
接続手段は、チャネル形の溝１５、１７に嵌合しかつ各々がねじ切りされた穴２０を有する固定用プレート１９と、接続されるエレメント１１、１３の１面に置かれて隣接する端同士をブリッジする接続用プレート２１と、接続用プレート２２内に作られた穴２３に配置されて固定用プレート内のねじ切りされた穴２０にねじ込まれるねじ２２とを含む。このようにしてねじ２２を締め付けることにより、固定用プレートと接続用プレートとの対向しかつ結合される動作は機械的ブロックを達成し、分離を防止する。
【００２０】
このブロッキング作用を向上させ、かつ作動に伴って発生する高い運転圧力及び応力に曝されてもアッセンブリを保証するために、各接続用プレート２１の少なくとも支持面は、接合されるエレメントの表面を貫通して後者を物理的に把持する能力のある突起または接触グリップ２４を保有するように設計される−図３及び６。グリップまたは突起２４は、プレート２２の支持面上の節の隆起、歯または隆状突起の形式である場合もある。またこれらは、図が示すように、ねじ２２用の穴２３の周囲にのみ配置される、及び／またはプレートの上記表面の他の広域的または限定的な平坦部上に配置される場合もある。
【００２１】
また、任意の分離の可能性に対する接続エレメントのブロッキングをさらに強化するために、固定用プレート１９は、プレート上のものと全く同一でありかつ接続エレメントの個々の部分を把持するように使用される突起または接触グリップを伴って設計されることが可能である。
【００２２】
管状のジョイント１２と接続用プレート２１とは、接続される部分１１及び１３の直線的または角度付きの配置に依存して直線、コーナー形またはＴ形、他、である可能性があるという事実は注目に値する。しかしながら、中空バーまたは部分パイプは、中間のプリズム形本体２７から伸びる２つ、３つまたはそれ以上の円筒分岐２６を有するジョイント２５の中間挿入によっても、Ｔ形または交差状の接合部で直角に配置されかつ接続されることが可能である。この場合は、接続及び脱離抵抗に関連して、図７が示すように、突起またはグリップ２４を伴って設計されているが、バーまたはパイプの溝に嵌合される固定用プレート３１上に締め付ける固定ねじ３０用の穴２９が存在する一方の領域と、接続金具の中間本体２７から突き出た類似のピン３１と並ばせるための１つまたは複数の追加的な穴２３が存在するもう一方の領域とを有する接続用プレート２８を使用することがより良い、またはより簡単である可能性がある。
【図面の簡単な説明】
【００２３】
【図１】機能中の、かつ固定用プレートに関連づけられた接続用プレートの斜視図である。
【図２】本発明のデバイスを使用して接続される前の中空バー２本の斜視図である。
【図３】接続された後の図２のバーの縦断面図である。
【図４】中空バーとエレメントまたは端部接続金具との接続前の斜視図である。
【図５】組立て時の図４のエレメントの斜視図である。
【図６】突起または接触グリップを示す、図３の断面図の一部を引き延ばしたものである。
【図７】改良された接続用プレートを有する、２つのバーまたはパイプ部分の角度付けされた接続システムを示す。
【国際公開パンフレット】
2004535540.tif 000003
2004535540.tif 000004
2004535540.tif 000005
2004535540.tif 000006
2004535540.tif 000007
2004535540.tif 000008
2004535540.tif 000009
2004535540.tif 000010
2004535540.tif 000011
2004535540.tif 000012
2004535540.tif 000013
2004535540.tif 000014
2004535540.tif 000015
2004535540.tif 000016
2004535540.tif 000017
2004535540.tif 000018
2004535540.tif 000019
【国際調査報告】
2004535540.tif 000020
2004535540.tif 000021
2004535540.tif 000022